(57)【要約】【課題】防塵部材に付着するトナーや塵埃の量を削減する。【解決手段】筐体６５内に収納された光源から出射した光を筐体６５の開口６８を塞ぐ防塵部材６９を介して像担持体上に照射する光書込装置に、防塵部材６９を覆う遮蔽部材８７を設ける。この遮蔽部材８７は、防塵部材６９を覆う位置と、防塵部材６９を露出させる位置との間で移動自在とする。【選択図】    図６
2004301959.tif 000002
【特許請求の範囲】
【請求項１】
筐体内に収納された光源から出射した光を筐体の開口を塞ぐ防塵部材を介して像担持体上に照射する光書込装置において、
前記防塵部材を覆う位置と、前記防塵部材を露出させる位置との間で移動自在に設けられた遮蔽部材を備えることを特徴とする光書込装置。
【請求項２】
前記遮蔽部材に取り付けられ前記防塵部材に接触する清掃部材を備えることを特徴とする請求項１記載の光書込装置。
【請求項３】
前記遮蔽部材を移動させる駆動部を備えることを特徴とする請求項１又は２記載の光書込装置。
【請求項４】
前記遮蔽部材は、外部の駆動部により移動されることを特徴とする請求項１又は２記載の光書込装置。
【請求項５】
電子写真方式により画像形成を行う画像形成装置に取り付けられ、
前記画像形成装置が画像形成動作を行っていないときには、前記駆動部により前記遮蔽部材を前記防塵部材を覆う位置に位置付ける移動手段を備えることを特徴とする請求項３記載の光書込装置。
【請求項６】
光が照射されることにより潜像を形成する像担持体を備え電子写真方式により画像形成を行う画像形成装置において、
前記像担持体に光を照射する請求項４記載の光書込装置と、
前記光書込装置の前記遮蔽部材を移動させる駆動部と、
画像形成動作を行っていないときは、前記駆動部により前記遮蔽部材を前記防塵部材を覆う位置に位置付ける移動手段を備えることを特徴とする画像形成装置。
【請求項７】
光が照射されることにより潜像を形成する像担持体を備えた電子写真方式により画像形成を行う画像形成装置において、
前記像担持体に光を照射する請求項１，２，３又は５記載の光書込装置を備えることを特徴とする画像形成装置。
【請求項８】
筐体内に収納された光源から出射した光を筐体の開口を塞ぐ防塵部材を介して像担持体上に照射する光書込装置光を備え、電子写真方式により画像形成を行う画像形成装置において、
前記防塵部材を覆う位置と、前記防塵部材を露出させる位置との間で移動自在に設けられた遮蔽部材を備えることを特徴とする画像形成装置。
【請求項９】
前記遮蔽部材に取り付けられ前記防塵部材に接触する清掃部材を備えることを特徴とする請求項８記載の画像形成装置。
【発明の詳細な説明】
【０００１】
【発明の属する技術分野】
本発明は、光書込装置及び画像形成装置に関する。
【０００２】
【従来の技術】
従来、画像形成装置やデジタル複写機等の電子写真方式の画像形成装置においては、高品質な画像や高速度や省スペースや省エネなどが要求されているため、画像形成装置が備える光書込装置に用いる光学系も高性能なものが用いられるようになってきている。
【０００３】
画像形成装置では、トナー等の現像剤を使用するのが一般的であるが、画像形成装置内でのトナー飛散は完全にはなくせない。また、画像形成装置内には塵埃が浮遊している。光書込装置は、その性格上、トナーや塵埃等をとても嫌うので、光書込装置は光源などの各部を筐体に収納し内部を密閉状態とし、内部にトナーや塵埃が入り込むのを防止している。このような光書込装置の筐体には、光源から出射される光ビームが通過する開口が設けられ、この開口を光が通過可能な防塵部材で塞いでいる。
【０００４】
防塵部材は画像形成装置内のトナーや塵埃にさらされており、それらの塵埃が防塵部材に付着すると、光形成装置の性能を劣化させるおそれがある。それにより画像品質が劣化することも考えられるので、そのような状況は避けなければならない。
【０００５】
特許文献１には、開口に着脱可能に設けられた防塵部材の清掃部材を保持部に着脱可能に設けた構成の技術が示されている。
【０００６】
また、特許文献２には、開口にスライド可能に設けた光学部材（防塵部材）と、開口の一端にクリーニング部材を配設した構成の技術が示されている。
【０００７】
これらの技術によれば、防塵部材や光学部材を着脱させる操作によって防塵部材や光学部材を清掃することができる。
【０００８】
【特許文献１】
実開平１−１５５０６６号公報
【特許文献２】
特許第２９４９８２６号公報
【０００９】
【発明が解決しようとする課題】
しかしながら、特許文献１及び特許文献２に示された技術は、防塵部材に付着したトナーや塵埃を取り除くだけであるので、防塵部材に付着するトナーや塵埃の量は変わらない。
【００１０】
本発明の目的は、防塵部材に付着するトナーや塵埃の量を削減することである。
【００１１】
本発明の目的は、防塵部材に付着したトナーや塵埃の清掃を簡単な構成で行えるようにすることである。
【００１２】
【課題を解決するための手段】
請求項１記載の発明は、筐体内に収納された光源から出射した光を筐体の開口を塞ぐ防塵部材を介して像担持体上に照射する光書込装置において、前記防塵部材を覆う位置と、前記防塵部材を露出させる位置との間で移動自在に設けられた遮蔽部材を備える。
【００１３】
したがって、光源から光を出射させる際には遮蔽部材を防塵部材を露出させる位置に移動させ、光源から光を出射させないときには遮蔽部材を防塵部材を覆う位置に移動させることが可能であり、遮蔽部材が防塵部材を覆う位置にあるときには、防塵部材へのトナーや塵埃が付着するのが防塵部材によって防止される。これにより、防塵部材に付着するトナーや塵埃の量が削減される。
【００１４】
請求項２記載の発明は、請求項１記載の光書込装置において、前記遮蔽部材に取り付けられ前記防塵部材に接触する清掃部材を備える。
【００１５】
したがって、遮蔽部材を移動させることによって、防塵部材に付着しているトナーや塵埃が清掃部材により除去される。このように遮蔽部材に清掃部材を取り付けただけの簡単な構成で、防塵部材の清掃を行うことができる。
【００１６】
請求項３記載の発明は、請求項１又は２記載の光書込装置において、前記遮蔽部材を移動させる駆動部を備える。
【００１７】
したがって、遮蔽部材は駆動部によって移動される。また、駆動部が光書込装置に設けられているので、画像形成装置に対する光書込装置の取り付けが容易となる。
【００１８】
請求項４記載の発明は、請求項１又は２記載の光書込装置において、前記遮蔽部材は、外部の駆動部により移動される。
【００１９】
したがって、駆動部を光書込装置に設ける必要が無いので、光書込装置が小型化される。
【００２０】
請求項５記載の発明は、請求項３記載の光書込装置において、電子写真方式により画像形成を行う画像形成装置に取り付けられ、前記画像形成装置が画像形成動作を行っていないときには、前記駆動部により前記遮蔽部材を前記防塵部材を覆う位置に位置付ける移動手段を備える。
【００２１】
したがって、画像形成装置が画像形成動作を行っていないときは、防塵部材へのトナーや塵埃が付着するのが防塵部材によって防止される。これにより、防塵部材に付着するトナーや塵埃の量が削減される。
【００２２】
請求項６記載の発明は、光が照射されることにより潜像を形成する像担持体を備え電子写真方式により画像形成を行う画像形成装置において、前記像担持体に光を照射する請求項４記載の光書込装置と、前記光書込装置の前記遮蔽部材を移動させる駆動部と、画像形成動作を行っていないときは、前記駆動部により前記遮蔽部材を前記防塵部材を覆う位置に位置付ける移動手段を備える。
【００２３】
したがって、画像形成装置が画像形成動作を行っていないときは、防塵部材へのトナーや塵埃が付着するのが防塵部材によって防止される。これにより、防塵部材に付着するトナーや塵埃の量が削減される。
【００２４】
請求項７記載の発明は、光が照射されることにより潜像を形成する像担持体を備えた電子写真方式により画像形成を行う画像形成装置において、前記像担持体に光を照射する請求項１，２，３又は５記載の光書込装置を備える。
【００２５】
したがって、請求項１，２，３又は５の発明と同様な作用を奏する。
【００２６】
請求項８記載の発明は、筐体内に収納された光源から出射した光を筐体の開口を塞ぐ防塵部材を介して像担持体上に照射する光書込装置光を備え、電子写真方式により画像形成を行う画像形成装置において、前記防塵部材を覆う位置と、前記防塵部材を露出させる位置との間で移動自在に設けられた遮蔽部材を備える。
【００２７】
したがって、光書込装置の光源から光を出射させる際には遮蔽部材を防塵部材を露出させる位置に移動させ、光源から光を出射させないときには遮蔽部材を防塵部材を覆う位置に移動させることが可能であり、遮蔽部材が防塵部材を覆う位置にあるときには、防塵部材へのトナーや塵埃が付着するのが防塵部材によって防止される。これにより、防塵部材に付着するトナーや塵埃の量が削減される。
【００２８】
請求項９記載の発明は、請求項８記載の画像形成装置において、前記遮蔽部材に取り付けられ前記防塵部材に接触する清掃部材を備える。
【００２９】
したがって、遮蔽部材を移動させることによって、防塵部材に付着しているトナーや塵埃が清掃部材により除去される。このように遮蔽部材に清掃部材を取り付けただけの簡単な構成で、防塵部材の清掃を行うことができる。
【００３０】
【発明の実施の形態】
本発明の一実施の形態を図面に基づいて説明する。ここで、図１は本実施の形態の画像形成装置を概略的に示す縦断側面図、図２は光書込装置を示す平面断面図、図３は光書込装置を示す縦断側面図、図４は光書込装置のカバーと遮蔽ユニットとを示す分解斜視図、図５はカバーにおける遮蔽ユニットの取り付け構造の一部を拡大して示す断面図、図６は防塵部材と遮蔽ユニットとを示し、（ａ）は遮蔽部材が開放位置にある状態を示す縦断側面図、（ｂ）は遮蔽部材が遮蔽位置にある状態を示す縦断側面図、図７は駆動部を示す平面図である。
【００３１】
図１に示すように、画像形成装置１の本体ケース２内部の略中央部には、４つの作像部３（３Ｙ、３Ｃ、３Ｍ、３Ｂ）と、光ビームを出射する光書込装置４と、中間転写ベルト５とが配置されている。各作像部３はそれぞれ異なる色の画像（トナー像）を形成する部分であり、これらの作像部３及びその作像部３の構成部品等に関する本明細書及び図面の記載において、Ｙ、Ｃ、Ｍ、Ｂの添え字は、各々イエロー、シアン、マゼンタ、ブラックの色を示している。
【００３２】
４つの作像部３Ｙ、３Ｃ、３Ｍ、３Ｂは、使用するトナーの色が異なるために形成される画像の色が異なるものであり、基本的な構造は同じである。
【００３３】
各作像部３は、矢印方向へ回転駆動される像担持体である感光体６（６Ｙ、６Ｃ、６Ｍ、６Ｂ）、感光体６の周囲に配置された帯電部７、現像部８、クリーニング部９等により構成されている。
【００３４】
感光体６は、円筒状に形成され、駆動源（図示せず）により回転駆動される。感光体６の外周面部には感光層が設けられており、感光体６の表面である外周面６ａは被走査面とされている。光書込装置４から出射された光ビームが感光体６の外周面６ａに照射されることにより、感光体６の外周面６ａには画像情報に応じた静電潜像が書き込まれる。
【００３５】
帯電部７は、感光体６の外周面６ａを一様に帯電するもので、感光体６に対して非接触方式のものが採用されている。
【００３６】
現像部８は、感光体６へのトナーの供給を行い、供給されたトナーが感光体６の外周面６ａに書き込まれた静電潜像に付着することにより感光体６上の静電潜像がトナー像として顕像化させるもので、感光体６に対して非接触方式のものが採用されている。
【００３７】
クリーニング部９は、感光体６の外周面６ａに付着している残留トナーをクリーニングするもので、感光体６の外周面６ａにブラシを接触させるブラシ接触方式のものが採用されている。
【００３８】
中間転写ベルト５は、樹脂フィルム又はゴムを基体として形成されたループ状のベルトで、感光体６上に形成されたトナー像が転写される。この中間転写ベルト５は、ローラ１１、１２、１３により支持されて矢印方向へ回転駆動される。中間転写ベルト５の内周面側（ループの内側）には、各感光体６上のトナー像を中間転写ベルト５上に転写させるために中間転写ベルト５を感光体６に押圧する４個の転写ローラ１４が配置されている。中間転写ベルト５の外周面６ａ側（ループの外側）には、中間転写ベルト５の外周面６ａに付着した残留トナーや紙粉等をクリーニングするクリーニング部１５が配置されている。
【００３９】
本体ケース２内における４個の作像部３及び光書込装置４の下方には、記録媒体（用紙）が積層保持される給紙カセット１６が配置されている。給紙カセット１６内に積層保持されている記録媒体は、最上位のものから順に分離給紙される。
【００４０】
本体ケース２内には、給紙カセット１６内から分離給紙された記録媒体が搬送される搬送経路１７が形成されている。この搬送経路１７上には、給紙ローラ１８ａ、レジストローラ１８ｂ、中間転写ローラ１９、定着部２０、排紙ローラ２１等が配置されている。
【００４１】
レジストローラ１８ｂは、所定のタイミングで間欠的に回転駆動されるローラである。このレジストローラ１８ｂが間欠的に回転駆動されることにより、レジストローラ１８ｂの位置まで搬送されて停止していた記録媒体が、中間転写ベルト５と中間転写ローラ１９とにより挟まれる転写位置へ送り込まれ、この転写位置において中間転写ベルト５上のトナー像が記録媒体に転写される。ここに、中間転写ベルト５と中間転写ローラ１９とにより転写部が構成されている。
【００４２】
定着部２０は、記録媒体上に転写されたトナー像を熱と圧力とを加えて記録媒体に定着させる部分である。定着部２０内を通過する過程においてトナー像が定着された記録媒体は、排紙ローラ２１により本体ケース２の上面部に形成されている排紙トレイ２２上に排紙される。
【００４３】
このような画像形成装置１には、ＣＰＵ、ＲＯＭ、ＲＡＭを備える制御部５０が設けられており、この制御部５０が画像形成装置１の各部を集中的に駆動制御する。
【００４４】
次に、光書込装置４について詳しく説明する。図２及び図３に示すように、光書込装置４は、所謂対向走査方式のものであり、光ビームを発振する４つのレーザ光源ユニット（ＬＤユニット）６１（６１Ｙ、６１Ｃ、６１Ｍ、６１Ｂ）と、各レーザ光源ユニット６１からの光ビームを対称な２方向に振り分けて偏向走査する光偏向器６２と、偏向走査した光ビームを感光体６上で所望の大きさに結像させる例えばｆθレンズから構成される結像光学系６３と、光ビームの走査開始タイミングを検知する同期検知手段６４とを備えている。これらの各部は、筐体６５内に保持されている。筐体６５は、上面開口の筐体本体６６と、この筐体本体６６の上面を閉じるカバー６７とから構成されている。このカバー６７には、光ビームが通過する開口６８が設けられており、これらの開口６８には防塵部材６９が取り付けられている。この防塵部材６９は平板ガラスである。
【００４５】
レーザ光源ユニット６１は、光源である半導体レーザ７０と、半導体レーザ７０から射出された発散光を略平行化するコリメートレンズ（図示せず）と、半導体レーザ駆動回路基板とが保持部材７１により保持されて構成されている。
【００４６】
光偏向器６２は、２段の回転多面鏡７２、この回転多面鏡７２を回転させる多面鏡モータ７３、回転多面鏡７２を覆う防音ガラス７４などから構成されている。
【００４７】
同期検知手段６４は、結像レンズ７５と、光電素子７６を持つ電気回路基板７７と、それらを保持する保持部材（図示せず）から構成されている。
【００４８】
この光書込装置４では、図示しない原稿読取装置（スキャナー）あるいは画像データ出力装置（パーソナルコンピュータ、ワードプロセッサ、ファクシミリの受信部等）から入力される色分解された画像データを光源駆動用の信号に変換し、それに従い各レーザ光源ユニット６１内の半導体レーザ７０を駆動して光ビームを出射する。各レーザ光源ユニット６１から出射された光ビームは、面倒れ補正用のアパーチャ７８及びシリンダレンズ７９、ミラー８０ａ（但し、レーザ光源ユニット６１Ｙ，６１Ｂから出射された光ビームに関してのみ）を介して光偏向器６２に至り、多面鏡モータ７３で等速回転されている回転多面鏡７２で対称な２方向に偏向走査される。
【００４９】
光偏向器６２の回転多面鏡７２で２ビームずつ２方向に偏向走査された光ビームは、結像光学系６３をそれぞれ通過し、ミラー８０ｂにより折り返されて、防塵部材６９を介して各色用の感光体６の被走査面上に照射され静電潜像を書き込む。このとき、４つの光ビームの感光体６に対する照射角度は、ほぼ同一である。
【００５０】
一方、書込み開始のタイミングを決定するための同期検知手段６４は、結像光学系６３を通過した光ビームを同期検知用ミラー８１で折り返して受光し、走査開始の同期信号を出力する。ここで、同期検知の本来の意味は、走査光のタイミングを取ることであるので、同期検知手段６４は、通常走査に先立って光ビームを受光するように設置されていれば良いが、更に、１走査の速度（あるいは時間）の変動を検知するために、走査後端にも検知手段を設置しても良い。図２には、そのような走査の前後で同期を取るような構成を示した。
【００５１】
このような光書込装置４のカバー６７には、図３に示すように、遮蔽ユニット８５が取り付けられている。
【００５２】
遮蔽ユニット８５は、図３ないし図６に示すように、板金により形成されたステー８６と、遮蔽部材８７とを備えている。ステー８６は、カバー６７に設けられた一対の爪部８８に係合され、この爪部８８により、カバー６７に対してスライド自在に保持されている。その爪部８８により案内されるスライド方向は、光ビームが光偏向器６２に偏向される偏向方向Ａに対して直交する直交方向Ｂである。そして、ステー８６の下面の周部から突出形成された突部８９がカバー６７の上面に当接している。これにより、ステー８６とカバー６７との接触面積が小さくされるとともに、ステー８６の剛性の向上が図られている。
【００５３】
ステー８６には、４つの防塵部材６９に対面する４つの開口９０が形成されている。遮蔽部材８７は、これらの開口９０毎に、開口９０の一部に延出するようにカバー６７に貼付されており、遮蔽部材８７は、防塵部材６９を覆うことが可能な大きさに形成されている。遮蔽部材８７は、樹脂フィルムであり、樹脂フィルムとしては、例えば、黒色のＰＥＴを例示することができる。これらの遮蔽部材８７に一部が塞がれたステー８６の開口９０は、塞がれていない部分により防塵部材６９を感光体６側に露出可能な大きさに形成されている。
【００５４】
これらにより、遮蔽部材８７は、防塵部材６９を覆わずに開口９０によって防塵部材６９を露出させる位置（図６（ａ））と、遮蔽部材８７によって防塵部材６９を覆う位置（図６（ｂ））との間でカバー６７に対してスライド移動自在とされている。
【００５５】
遮蔽部材８７の先端部には、防塵部材６９に接触する清掃部材９１が取り付けられている。清掃部材９１は、不織布により形成され、防塵部材６９の偏向方向Ａの全域に接触する。この清掃部材９１は、遮蔽部材８７の弾性により防塵部材６９に押し当てられている。このような清掃部材９１の防塵部材６９に対する接触力は、遮蔽部材８７が貼付された部位のステー８６の傾斜角度Ｃを変えることにより変更可能である。
【００５６】
遮蔽ユニット８５のステー８６には、図３及び図７に示すように駆動部９２が結合されている。駆動部９２は、筐体６５に取り付けられている。駆動部９２は、動力源であるモータ９３と、このモータ９３に係合するギア群９４とを備え、ギア９４ａの回転運動を、ステー８６に形成された孔９５にピン９６が係合しているレバー９７に伝達することにより、ピン９６の直交方向Ｂの往復運動に変換するものである。これにより、ステー８６が直交方向Ｂに移動される。なお、駆動部９２はこれに限るものではなく、例えば、ソレノイドによりステー８６を移動させても良い。
【００５７】
この駆動部９２には、ステー８６が防塵部材６９を覆った状態か覆っていない状態かを検出するセンサ９８が設けられている。具体的には、センサ９８は、ステー８６の上面に設けられた突起９９を検出することによりステー８６の位置を検出するものである。この駆動部９２のモータ９３及びセンサ９８には、制御部１００が接続されている。
【００５８】
制御部１００は、ＣＰＵ，ＲＯＭ、ＲＡＭ等により構成され、画像形成装置１の制御部５０からの信号及びセンサ９８からの信号に基づいてモータ９３の駆動・停止制御等を行う。
【００５９】
このような構成において、光書込装置４により各感光体６に形成された各潜像は、各現像部８のＹ，Ｍ，Ｃ，Ｂの各色のトナーで現像されて顕像化され、その顕像化されたＹ，Ｍ，Ｃ，Ｂの各色のトナー画像は、転写部により転写材に転写される。そして、４色の画像が転写された転写材は定着部２０に搬送され、定着部２０で画像が定着された後、排紙ローラ２１により排紙トレイ２２上に排出される。
【００６０】
光書込装置４の制御部１００は、画像形成装置１において前述したような画像形成動作が実行される前に、モータ９３を駆動して、遮蔽ユニット８５を遮蔽部材８７が防塵部材６９を覆わずに防塵部材６９を露出させる位置に移動させる（図６（ａ）参照）。これにより、光ビームがステー８６の開口９０を通過可能となる。そして、画像形成装置１において画像形成動作が終了した場合には、モータ９３を駆動して遮蔽ユニット８５を遮蔽部材８７が防塵部材６９を覆う位置に移動させる（移動手段、図６（ｂ）参照）。これにより、画像形成動作が行われていないときには、防塵部材６９が遮蔽部材８７により覆われる。このように防塵部材６９が移動することにより、清掃部材９１が防塵部材６９上のトナーや塵埃を除去する。
【００６１】
以上説明したように、本実施の形態では、遮蔽部材８７により防塵部材６９を覆うことにより、防塵部材６９へのトナーや塵埃が付着するのが防止され、これにより、防塵部材６９に付着するトナーや塵埃の量を削減することができる。
【００６２】
また、移動手段が、画像形成装置１が画像形成動作を行っていないときには、駆動部９２により遮蔽部材８７を防塵部材６９を覆う位置に位置付けるので、画像形成装置１が画像形成動作を行っていないときは、防塵部材６９へのトナーや塵埃が付着するのを防塵部材６９によって防止することができ、これにより、防塵部材６９に付着するトナーや塵埃の量を削減することができる。
【００６３】
また、遮蔽部材８７に清掃部材９１を取り付けただけの簡単な構成で、防塵部材６９の清掃を行うことができる。
【００６４】
また、防塵部材６９及び遮蔽部材８７をカバー６７にまとめて取付けたので、組立が容易である。
【００６５】
また、駆動部９２が光書込装置４に設けられているので、画像形成装置１に対して容易に光書込装置４の取り付けを行うことができる。
【００６６】
なお、本実施の形態では、単一の光書込装置４から複数の感光体６に対して光ビームを出射する構成の例を示したが、これに限るものではなく、複数の感光体６毎に個別の光書込装置を設ける構成であっても良い。例えば、４つの感光体６に対して、４つの光書込装置４を用いる構成である。
【００６７】
また、本実施の形態では、遮蔽ユニット８５の移動を全て駆動部９２の動力により実行する例を示したが、これに限るものではなく、例えば、通常の状態においては遮蔽ユニット８５を自重あるいはばね等による弾性力により遮蔽部材８７が防塵部材６９を覆う位置に位置付け、遮蔽部材８７が防塵部材６９を覆う位置に位置付けるときだけ、駆動部９２により遮蔽ユニット８５を移動させるようにしても良い。また、この逆であっても良い。
【００６８】
次に、特に図示しないが本実施の形態の変形例を説明する。本変形例では、光書込装置４の遮蔽ユニット８５を移動させる駆動部９２が、光書込装置４ではなく、画像形成装置１の本体側、例えば、給紙ローラ１８ａの支持部材１８ｃに取り付けられている。そして、画像形成装置１の制御部５０が駆動部９２の制御を行う。具体的には、画像形成動作を実行する前に、モータ９３を駆動して、遮蔽ユニット８５を遮蔽部材８７が防塵部材６９を覆わずに防塵部材６９を露出させる位置に移動させる。そして、画像形成動作を終了した場合には、モータ９３を駆動して遮蔽ユニット８５を遮蔽部材８７が防塵部材６９を覆う位置に移動させる（移動手段）。これにより、画像形成動作が行われていないときには、防塵部材６９が遮蔽部材８７により覆われる。
【００６９】
このように、本変形例では、駆動部９２を光書込装置４に設ける必要が無いので、光書込装置４を小型化することがきる。また、このようにすることにより、駆動部９２のモータ９３やセンサ９８のハーネスの這い回しを簡単にすることができる。
【００７０】
なお、駆動部９２だけでなく、遮蔽部材８７を備える遮蔽ユニット８５も光書込装置４以外の画像形成装置１に設けても良い。例えば、本体ケース２や紙ローラ１８ａの支持部材１８ｃに取り付けても良い。
【００７１】
【発明の効果】
請求項１記載の発明によれば、筐体内に収納された光源から出射した光を筐体の開口を塞ぐ防塵部材を介して像担持体上に照射する光書込装置において、前記防塵部材を覆う位置と、前記防塵部材を露出させる位置との間で移動自在に設けられた遮蔽部材を備えることにより、光源から光を出射させる際には遮蔽部材を防塵部材を露出させる位置に移動させ、光源から光を出射させないときには遮蔽部材を防塵部材を覆う位置に移動させることが可能であり、遮蔽部材が防塵部材を覆う位置にあるときには、防塵部材へのトナーや塵埃が付着するのを防塵部材によって防止することができ、これにより、防塵部材に付着するトナーや塵埃の量を削減することができる。
【００７２】
請求項２記載の発明によれば、請求項１記載の光書込装置において、前記遮蔽部材に取り付けられ前記防塵部材に接触する清掃部材を備えることにより、遮蔽部材を移動させることで、防塵部材に付着しているトナーや塵埃が清掃部材により除去され、このように遮蔽部材に清掃部材を取り付けただけの簡単な構成で、防塵部材の清掃を行うことができる。
【００７３】
請求項３記載の発明によれば、請求項１又は２記載の光書込装置において、前記遮蔽部材を移動させる駆動部を備えることにより、駆動部が光書込装置に設けられているので、画像形成装置に対して容易に光書込装置の取り付けを行うことができる。
【００７４】
請求項４記載の発明によれば、請求項１又は２記載の光書込装置において、前記遮蔽部材は、外部の駆動部により移動されることにより、駆動部を光書込装置に設ける必要が無いので、光書込装置を小型化することがきる。
【００７５】
請求項５記載の発明によれば請求項３記載の光書込装置において、電子写真方式により画像形成を行う画像形成装置に取り付けられ、前記画像形成装置が画像形成動作を行っていないときには、前記駆動部により前記遮蔽部材を前記防塵部材を覆う位置に位置付ける移動手段を備えることにより、画像形成装置が画像形成動作を行っていないときは、防塵部材へのトナーや塵埃が付着するのを防塵部材によって防止することができ、これにより、防塵部材に付着するトナーや塵埃の量を削減することができる。
【００７６】
請求項６記載の発明によれば、光が照射されることにより潜像を形成する像担持体を備え電子写真方式により画像形成を行う画像形成装置において、前記像担持体に光を照射する請求項４記載の光書込装置と、前記光書込装置の前記遮蔽部材を移動させる駆動部と、画像形成動作を行っていないときは、前記駆動部により前記遮蔽部材を前記防塵部材を覆う位置に位置付ける移動手段を備えることにより、画像形成装置が画像形成動作を行っていないときは、防塵部材へのトナーや塵埃が付着するのを防塵部材によって防止することができ、これにより、防塵部材に付着するトナーや塵埃の量を削減することができる。
【００７７】
請求項７記載の発明によれば、光が照射されることにより潜像を形成する像担持体を備えた電子写真方式により画像形成を行う画像形成装置において、前記像担持体に光を照射する請求項１，２，３又は５記載の光書込装置を備えることにより、請求項１，２，３又は５の発明と同様な効果を奏することができる。
【００７８】
請求項８記載の発明によれば、筐体内に収納された光源から出射した光を筐体の開口を塞ぐ防塵部材を介して像担持体上に照射する光書込装置光を備え、電子写真方式により画像形成を行う画像形成装置において、前記防塵部材を覆う位置と、前記防塵部材を露出させる位置との間で移動自在に設けられた遮蔽部材を備えることにより、光書込装置の光源から光を出射させる際には遮蔽部材を防塵部材を露出させる位置に移動させ、光源から光を出射させないときには遮蔽部材を防塵部材を覆う位置に移動させることが可能であり、遮蔽部材が防塵部材を覆う位置にあるときには、防塵部材へのトナーや塵埃が付着するのを防塵部材によって防止することができ、これにより、防塵部材に付着するトナーや塵埃の量を削減することができる。
【００７９】
請求項９記載の発明によれば、請求項８記載の画像形成装置において、前記遮蔽部材に取り付けられ前記防塵部材に接触する清掃部材を備えることにより、遮蔽部材を移動させることで、防塵部材に付着しているトナーや塵埃が清掃部材により除去され、このように遮蔽部材に清掃部材を取り付けただけの簡単な構成で、防塵部材の清掃を行うことができる。
【図面の簡単な説明】
【図１】本発明の一実施の形態の画像形成装置を概略的に示す縦断側面図である。
【図２】光書込装置を示す平面断面図である。
【図３】光書込装置を示す縦断側面図である。
【図４】光書込装置のカバーと遮蔽ユニットとを示す分解斜視図である。
【図５】カバーにおける遮蔽ユニットの取り付け構造の一部を拡大して示す断面図である。
【図６】防塵部材と遮蔽ユニットとを示し、（ａ）は遮蔽部材が開放位置にある状態を示す縦断側面図、（ｂ）は遮蔽部材が遮蔽位置にある状態を示す縦断側面図である。
【図７】駆動部を示す平面図である。
【符号の説明】
１        画像形成装置
４        光書込装置
６        感光体（像担持体）
６５      筐体
６８      開口
６９      防塵部材
７０      半導体レーザ（光源）
８７      遮蔽部材
９１      清掃部材
９２      駆動部
【図１】
2004301959.tif 000003
【図２】
2004301959.tif 000004
【図３】
2004301959.tif 000005
【図４】
2004301959.tif 000006
【図５】
2004301959.tif 000007
【図６】
2004301959.tif 000008
【図７】
2004301959.tif 000009